(57)【要約】【課題】  従来は、畑での栽培位置によって植物の生育に差が出たり、トンネル内の温度調節が困難で葉焼けを起こしたりしていた。【解決手段】  本件トンネル栽培方法は、マルチフィルムで被覆した土壌で植物を数条に栽培し、その植物の上にベタ掛けフィルムを掛け又は掛けずに、その上方にトンネル栽培用フィルムを架設してトンネルを形成し、そのトンネル内で前記植物を栽培するトンネル栽培方法において、最外条から前記マルチフィルムの埋め代の内側部分までの幅を、その条より内側の条間の間隔よりも広くして栽培するものである。【選択図】図１
2006014633.tif 000002
【特許請求の範囲】
【請求項１】
マルチフィルムで被覆した土壌で植物を数条に栽培し、その植物の上にベタ掛けフィルムを掛け又は掛けずに、その上方にトンネル栽培用フィルムを架設してトンネルを形成し、そのトンネル内で前記植物を栽培するトンネル栽培方法において、最外条から前記マルチフィルムの埋め代の内側部分までの幅を、その条より内側の条間の間隔よりも広くして栽培することを特徴とするトンネル栽培方法。
【請求項２】
請求項１記載のトンネル栽培方法において、トンネルの上部に、その長手方向に所定間隔で換気孔を開口したことを特徴とするトンネル栽培方法。
【請求項３】
埋め代の内側に数条の植栽孔を開口したマルチフィルムにおいて、最外条の植栽孔から埋め代の内側部分までの幅を、その条より内側の条の植栽孔間の間隔よりも広くしたことを特徴とするマルチフィルム。
【請求項４】
土壌で栽培した植物の上方にトンネル状に架設するトンネル栽培用フィルムにおいて、トンネルの上部となる箇所にフィルムの長手方向に所定間隔で換気孔を開口したことを特徴とするトンネル栽培用フィルム。
【請求項５】
請求項３記載のマルチフィルムを土壌に被せて埋め代の内側に開口された数条の植栽孔のうち、最外条の植栽孔から埋め代の内側部分までの幅を、その条より内側の条の植栽孔間の間隔よりも広くし、その上方に請求項４記載のトンネル用フィルムを架設して、頂部又は頂部付近に換気孔を備えたトンネルとしたことを特徴とするトンネル栽培装置。
【発明の詳細な説明】
【技術分野】
【０００１】
本発明は植物のトンネル栽培方法、特に、厳寒期や寒冷地で大根（越冬大根）を栽培するのに適したトンネル栽培方法と、それに使用されるマルチフィルム及びトンネル栽培用フィルム及びトンネル栽培装置に関するものである。
【背景技術】
【０００２】
例えば、千葉県で、１１月〜１月蒔き（２〜４月穫り）の大根を栽培（越冬栽培）する場合、千葉県北部では、図６に示すように、畑の畝ＡにマルチフィルムＢを被せ、マルチフィルムＢに四条に開口された植栽孔Ｃに大根Ｄの種を播き、播種した畝Ａの上にシートＥを被せ（ベタ掛けし）、その上方に円弧状の多数本の枠Ｈを略一定間隔で差込み、それにトンネル用フィルムＩを架設してトンネルＦを形成して栽培しているのが慣行である。しかし、この栽培方法によっても、千葉県北部では大根を十分に成長させることは困難であり、２〜４月穫りの大根栽培は殆ど行われていない。一方、千葉県内の暖地でこの栽培方法によって大根を栽培する場合は前記ベタ掛けをせずに栽培する。前記マルチフィルムＢは、図７に示すように、幅方向両端部分の埋め代Ｇを畝Ａの両外側に埋めて固定してあり、マルチフィルムＢに四条に開口された植栽孔Ｃは、図８に示すように、各条間の間隔Ｋを等間隔としてある。この場合、最外条の植栽孔Ｃとその外側の埋め代Ｇの内側部分との間の間隔Ｊが、前記各条間の間隔Ｋより狭くなっている。
【発明の開示】
【発明が解決しようとする課題】
【０００３】
前記図６に示す従来の栽培方法には次のような課題がある。
（１）最外条の植栽孔の植物が内側の条の植物よりも生育が悪く、トンネル中央部分の大根が先に肥大し、トンネル両端側の大根は遅れて肥大する傾向にある。したがって、全ての条の大根を一斉に収穫することはできない。このため収穫作業が二度手間になり、面倒である。また、等級が均一とならず、出荷も遅れるため、販売価格が低下し、生産者の収益が向上しにくい。
（２）トンネルの換気を怠ると、陽光が強い場合にはトンネル内の熱気と湿気で植物が葉焼けする恐れがあるため、それを避けるためにはトンネルの裾を巻上げて換気を行う必要があり、手間がかかる。
（３）密閉したトンネルは、図９に示すように、春先などに吹く強風を受けると、その風圧によってトンネル内に発生する揚力を逃がすことができず、トンネルのフィルムが破損することがある。
【課題を解決するための手段】
【０００４】
本件発明者は、前記した植物の成長（肥大）のずれを解消するべく、長年に亘って鋭意研究を重ねた結果、トンネル栽培した数条の植物が略均一に成長して同一時期に収穫できるようにすることに成功し、本件発明のトンネル栽培方法と、それに使用されるマルチフィルム、トンネル栽培用フィルム、トンネル栽培装置を完成した。
【０００５】
この研究にあたっては次のようなことについて重点的に研究をした。
（１）地温確保のためのマルチフィルムの植栽孔の配置と間隔に関わる新規設計およびフィルムの無滴化処理効果の検討。特に、植栽孔の周囲面積（被熱面積）の配分効果の想定（生育前半までの有効性を探る）。
（２）ベタ掛けフィルムの生分解性フィルムを含めた材質選択による保温性向上に対する検討。
（３）トンネル栽培用フィルムの保温性を軸とした材質選択と換気孔の新規設計によるトンネル内の空気の対流発生誘起と温度の撹拌効果に関わる実験検討。
（４）生育中盤のベタ掛けフィルムの除去時期と後半におけるトンネルの裾換気時期の判断。
（５）均一化に対する複合組合せ効果の確認とトンネル設置の方向性（方角）による影響の有無調査。
【０００６】
本件発明のトンネル栽培方法は、マルチフィルムで被覆した土壌で植物を数条に栽培し、その植物の上にベタ掛けフィルムを掛け又は掛けずに、その上方にトンネル栽培用フィルムを架設してトンネルを形成し、そのトンネル内で前記植物を栽培するトンネル栽培方法において、最外条から前記マルチフィルムの埋め代の内側部分までの幅を、その条より内側の条間の間隔よりも広くして栽培するものである。また、トンネルの上部に、その長手方向に所定間隔で換気孔を開口した。
【０００７】
前記栽培に使用するマルチフィルムは、埋め代の内側に数条の植栽孔を開口し、最外条の植栽孔から埋め代の内側部分までの幅を、その条より内側の条の植栽孔間の間隔よりも広くしてある。
【０００８】
前記栽培に使用するトンネル栽培用フィルムは、架設時にトンネルの上部（頂部又は頂部付近）となる箇所にフィルムの長手方向に所定間隔で換気孔を開口してある。
【０００９】
本件発明のトンネル栽培装置は、前記マルチフィルムを土壌に被せて、埋め代の内側に開口された数条の植栽孔のうち、最外条の植栽孔から埋め代の内側部分までの幅を、その条より内側の条の植栽孔間の間隔よりも広くし、その上方に前記トンネル栽培用フィルムを被せて、頂部又は頂部付近に換気孔を備えたトンネルとした。
【発明の効果】
【００１０】
本件出願のトンネル栽培方法は、次のような効果がある。
（１）最外条からマルチフィルムの埋め代の内側部分までの幅を、その条より内側の条間の間隔よりも広くして栽培するので、最外条の周囲の地温が十分に確保され、最外条で栽培した植物と内側の条の植栽孔で栽培した植物とを均一に成長させることができ、栽培した植物の一斉収穫が可能となる。また、収穫した植物の等級が均一となり、早期出荷も可能となるため、高値で販売でき、生産者の収益が向上する。
（２）トンネルの上部に、その長手方向に所定間隔で換気孔を開口したので、自動的に換気が行われる。このため、従来のように、定期的にトンネルの裾を巻上げて換気を行う必要がなく、手間が掛からない。また、トンネル内の湿度も高くなり過ぎないため葉焼け等が低減する。更に、強風が吹いても、風圧によってトンネル内に発生する揚力は図４のように換気孔からトンネル外へ抜け出るため、トンネルのフィルムが破損する事もない。
【００１１】
本件出願のマルチフィルムは次のような効果がある。
（１）埋め代の内側に数条の植栽孔を開口し、最外条の植栽孔から埋め代の内側部分までの幅を、その条より内側の条の植栽孔間の間隔よりも広くしたので、このマルチフィルムを使用すれば、最外条の植栽孔の周囲の地温が十分に確保され、最外条で栽培する植物と内側の条の植栽孔で栽培する植物が均一に成長し、条の位置によって成長に差が出ることがなく、栽培した植物の一斉収穫が可能となる。
（２）隣合う条の植栽孔を千鳥配列に開口した場合は、千鳥配列にしない場合よりも植栽孔の周囲面積（被熱面積）を広く確保することができ、植物の生育に好適になる。
【００１２】
本件出願のトンネル栽培用フィルムは次のような効果がある。
（１）トンネルの上部となる箇所にフィルムの長手方向に所定間隔で換気孔を開口したので、このトンネル栽培用フィルムを用いてトンネルを架設すれば、その換気孔によって自動的にトンネル内の換気が行われ、トンネルの裾を巻上げて換気を行う必要がないため手間がかからず、作業が容易になる。
（２）換気孔によってトンネル内の湿気が自動的に抜けるため、葉焼け障害等の熱気と湿気による被害が低減される。
（３）強風が吹いても、風圧によってトンネル内に発生する揚力は換気孔からトンネル外へと抜け出るため、トンネルが破損する事もない。
【００１３】
本件出願のトンネル栽培装置は次のような効果がある。
（１）前記マルチフィルムを土壌に被せて植物を栽培し、その植物の上方ベタ掛にフィルムを掛けて又は掛けずに、上方に前記トンネル栽培用フィルムを架設してトンネルを形成したため、上記マルチフィルムとトンネル栽培用フィルムの利点を活かしたトンネル栽培装置を実現することができる。
【発明を実施するための最良の形態】
【００１４】
（実施形態１）
本発明のトンネル栽培方法の一例を以下に説明する。本発明のトンネル栽培方法で栽培できる植物は、大根、人参、レタス等々、各種植物であるが、ここでは大根を栽培する場合を例として図１〜図５に基づいて説明する。
【００１５】
このトンネル栽培方法での大根の栽培は次のようにして行う。
（１）図１、図３に示すように、畑等の土壌１の土を盛り上げて、上面を平らにした平畝（ベッド状の畝）２を形成し、その平畝２をマルチフィルム４で被覆し、埋め代１１を土中に埋めてマルチフィルム４を固定する。この場合、図２に示すように、予め植栽孔５が開口されているマルチフィルム４を平畝２に張って、張り終えると自動的に植栽孔５が数条形成されるようにするか、植栽孔５が開口されていないマルチフィルム４を張り、張ってから植栽孔５を数条、開口するようにしてもよい。いずれの場合も、四条の植栽孔５は、マルチフィルム４の埋め代１１の内側端部１１ａとマルチフィルム４の最外条との間隔Ｗ1が、マルチフィルム４の最外条と内側の条との間隔Ｗ2より広くなるようにし、マルチフィルム４の最外条と内側の条との間隔Ｗ2がマルチフィルム４の内側の条同士の間隔Ｗ3より広くなるようにする。
（２）大根の種を各植栽孔５内に播種する。播種の時期は品種によっても異なるが、越冬大根の場合は１０月〜２月の寒冷期となる。一つの栽培孔５内に５、６粒を播種する。
（３）図１、図３に示すように、大根３を播種した平畝２の上から生分解性フィルム製のベタ掛けフィルム６を必要に応じて被せる。
（４）図１、図３に示すように、大根３を播種した平畝２の上方にトンネル１０を架設する。この場合、平畝２の上方に多数本の枠７を略均一間隔で配置し、それの上にトンネル栽培用フィルム８を張架してトンネル１０を設ける。この場合、トンネル１０の上部となる位置に予め換気孔１５が開口されているフィルムを使用するか、換気孔１５が開口されていないフィルムを使用して換気孔１５を開けるかする。このトンネル１０内で大根を発芽させ、育成する。
（５）発芽、育成した大根３を間引きながら、一本立ちさせる。大根３がある程度成長し、気温が上昇する温暖期（３月中旬〜下旬）になったら、ベタ掛けフィルム６及びトンネル１０を外す。
（６）大根３の根部が十分に肥大したら、大根３を収穫する。この場合、各条の大根が同一時期に収穫可能となるので、全ての条の大根を同時に収穫する。
【００１６】
土壌１は、畑には限られず、土を有する他の場所でもよい。土壌１を平畝２とする場合はその形状、幅、長さ、高さ等は、任意とすることができ、例えば、幅１５０ｃｍ、長さ５０ｍ、高さ１５ｃｍとすることができる。また、畝は平畝には限られず、山状にした高畝であってもよい。
【００１７】
（本発明のマルチフィルムの実施例）
本発明のマルチフィルムの一例を以下に説明する。マルチフィルム４は図１〜図３に示すように平畝２の表面を被覆可能な幅と長さのフィルムであって、幅方向両端部に埋め代１１が形成され、埋め代１１の内側に植栽孔５が数条に開口され、しかも、隣合う条の植栽孔５が千鳥配列で開口されている。本例では図に示すように四条に開口されている。マルチフィルム４には太陽光の透過率が良く、赤外線を吸収し易い透明又はグリーンの無滴フィルムを用いる事が望ましいが、他の任意の材質及び色のフィルムを用いることもできる。マルチフィルム４の幅は例えば２１０ｃｍとすることができるが（図５参照）、これに限られず任意の幅とすることができる。埋め代１１は図３に示すように土中に埋めて平畝２に被せたマルチフィルム４を固定するためのものであり、その幅は例えば３０ｃｍ程度が適する（図５参照）。
【００１８】
各植栽孔５は図２に示すように、埋め代１１の内側に四条に所定間隔で開口されており、その直径は栽培する大根３の栽培に適する大きさ、例えば直径８０ｍｍ程度とすることができる（図５参照）。各条の植栽孔５は図２、図３に示すように、マルチフィルム４の埋め代１１の内側部分１１ａとマルチフィルム４の最外条との間隔Ｗ1が、マルチフィルム４の最外条の植栽孔５と内側の条との間隔Ｗ2より広くなるようにし、マルチフィルム４の最外条と内側の条との間隔Ｗ2がマルチフィルム４の内側の条同士の間隔Ｗ3より広くなるようにしてある。例えば、図５に示すように、間隔Ｗ1を３３ｃｍ、Ｗ2を３０ｃｍ、間隔Ｗ3を２４ｃｍとすることができる。従って、本発明のマルチフィルム４は、最外条の植栽孔５の周囲面積が内側の条の植栽孔５の周囲面積よりも広くなるようにしてある。そのため、最外条の植栽孔５で栽培される植物を保温するための面積（被熱面積）が十分に確保でき、マルチングの被熱効果が各植栽孔５で栽培する大根３に均一に配分される。
【００１９】
従って、図５に示すように、例えば本発明のマルチフィルム４の幅を２１０ｃｍとし、埋め代１１の幅を３０ｃｍとして、埋め代１１の内側部分１１ａとマルチフィルム４の最外条の植栽孔５との間隔Ｗ1を３３ｃｍ、マルチフィルム４の最外条と内側の条との間隔Ｗ2を３０ｃｍ、マルチフィルム４の内側の条同士の間隔Ｗ3を２４ｃｍとした場合も、２つの最外条の植栽孔５と、１つの内側の条の植栽孔５と、埋め代１１の内側部分１１ａとによって形成される菱形の面積Ｓ1は１５７５ｃｍ2であり、２つの内側の条の植栽孔５と、１つの別の内側の条の植栽孔５と、２つの最外条の植栽孔５とによって形成される菱形の面積Ｓ1は１３５０ｃｍ2であるため、最外条の植栽孔５の周囲面積が内側の条の植栽孔５の周囲面積よりも広くなるようにしてある。
【００２０】
植栽孔５は四条には限られず、任意の条数開口することもできる。また、隣合う条の各植栽孔５同士の配列も、千鳥配列に限らず、横並びとか、他の任意の配列とすることができる。
【００２１】
（本発明で使用されるベタ掛けフィルムの実施例）
前記ベタ掛けフィルム６は図１、図３に示すように、栽培中の大根３の上に直に掛けて（ベタ掛けして）、地面を保温するものである。このベタ掛けフィルム６には透光率、保温性、吸湿性、通気性等に優れた生分解性フィルムを用いることが望ましいが、不織布等、任意の素材のものを用いることができる。生分解性フィルムとしては、例えば、アイオン株式会社製の「タフベル６０００」等が挙げられる。
【００２２】
（本発明のトンネル栽培用フィルムの実施例）
本発明のトンネル栽培用フィルム８は、平畝２の上方に多数本の枠７を略均一間隔で配置し、それの上に張架してトンネル１０を形成するためのフィルムである。トンネル栽培用フィルム８には保温効果の高いビニールフィルムや、無滴作用及び散乱光効果があり、汚れにくく、作業性及び耐久性の良いユーラックフィルム等、任意の素材のものを用いることができる。このトンネル栽培用フィルム８の厚さは、０．７５ｍｍ程度が望ましいが、任意の厚さとすることができる。トンネル栽培用フィルム８には、枠７の上に被せてトンネル１０を形成した際にトンネル１０の上部（頂部又は頂部付近）となる箇所にフィルムの長手方向に所定間隔で換気孔１５が開口されている。換気孔１５の直径は例えば５０ｍｍ、換気孔１５同士の間隔は２５ｃｍ〜３５ｃｍとすることができるが、これには限られず、任意の数値とすることもできる。換気孔１５を備えることによって、換気が行われるのみならず、図４に示すように、強風が吹いても風圧によってトンネル１０内に発生する揚力は換気孔１５からトンネル１０外へと抜け出るため、トンネル１０が破損する事がなくなる。また、日中はトンネル１０内の過度の温度、湿度の上昇を抑え、夜間はトンネル１０内の空気を対流させて撹拌し、トンネル１０内の温度を均一化して、急速な温度の下降を防ぐことができる。
【００２３】
（本発明のトンネル栽培装置の実施例）
本発明のトンネル栽培装置は、前記したマルチフィルム４及びベタ掛けフィルム６及びトンネル栽培用フィルム８を用いて形成される。本発明のトンネル栽培装置は、図１に示すように、前記マルチフィルム４を平畝２に被せて、各植栽孔５内に大根３を播種し、大根３を播種した平畝２の上から生分解性フィルム製の前記ベタ掛けフィルム６を必要に応じて被せ、平畝２の上方に多数本の枠７を略均一間隔で配置し、それの上に前記トンネル栽培用フィルム８を張架してトンネル１０を設けたものである。
【００２４】
マルチフィルム４の埋め代１１の内側に四条に開口された各植栽孔５は、前記同様図２、図３に示すように、マルチフィルム４の埋め代１１の内側端部１１ａとマルチフィルム４の最外条との間隔Ｗ1が、マルチフィルム４の最外条の植栽孔５と内側の条との間隔Ｗ2より広くなるようにし、マルチフィルム４の最外条と内側の条との間隔Ｗ2がマルチフィルム４の内側の条同士の間隔Ｗ3より広くなるようにしてある。
【００２５】
トンネル１０の上部（頂上又はその付近）には、前記同様図１、図３に示すように長手方向に所定間隔で換気孔１５が複数個開口されている。
【００２６】
（実験結果）
前記図１〜図５に示す本発明のトンネル栽培装置を用いて、図６〜図９に示す従来のトンネル栽培装置と比較させて実際に大根３を栽培する実験を行った結果、大根の根径は以下の表１に示す数値に、根長は以下の表２に示す数値となった。なお、トンネル１０の長さを５０ｍ、畝２の幅を１５０ｃｍとし、播種から９０日後の大根３について計測した。この実験では、図３、図８に示すように、四条の植栽孔５（Ｃ）を、東から西へ順に外側Ｅ、内側Ｅ、内側Ｗ、外側Ｗとして結果を計測した。次の各表において、表の左部（表１、２中「従来」部）は、従来のトンネル栽培装置によって成長させた各条の大根の根径及び根長、表の右部（表１、２中「本発明」部）は、本発明のトンネル栽培装置によって成長させた各条の大根の根径及び根長を夫々示す。
【００２７】
【表１】
2006014633.tif 000003
【００２８】
【表２】
2006014633.tif 000004
【００２９】
上記表１に示すように、従来のトンネル栽培装置によって成長させた各条の大根の根径には、明らかに外側Ｅの大根は内側Ｅの大根より径が小さいという傾向が見られた。同様に外側Ｗと内側Ｗとの比較においても同じ傾向が見られた。一方、本発明のトンネル栽培装置によって成長させた各条の大根は東西両側とも外側と内側との根径の差が殆ど見られず、均一な太さの大根となった。もっとも、太陽光の入射角度等により相対的にＥ側とＷ側に部分的な温度差が生じており、根の肥大の遅速傾向に僅かなバラツキは生じ得る。
【００３０】
上記表２に示すように、従来のトンネル栽培装置によって成長させた各条の大根の根長には、明らかに外側Ｅの大根は内側Ｅの大根より短いという傾向が見られた。同様に外側Ｗと内側Ｗとの比較においても同じ傾向が見られた。一方、本発明のトンネル栽培装置によって成長させた各条の大根は東西両側とも外側と内側との根長の差が殆ど見られず、均一な長さの大根となった。もっとも、太陽光の入射角度等により相対的にＥ側とＷ側に部分的な温度差が生じており、根の伸長の遅速傾向に僅かなバラツキは生じ得る。
【産業上の利用可能性】
【００３１】
本発明の植物栽培方法と、それに使用されるマルチフィルム及びトンネル栽培用フィルム及び植物栽培装置は、大根の越冬栽培には限られず、春人参、晩秋や初冬収穫のコカブおよび越冬レタス等の栽培にも応用することができる。
【図面の簡単な説明】
【００３２】
【図１】本発明のトンネル栽培装置の実施形態の一例を示す斜視説明図。
【図２】本発明のマルチフィルムの実施形態の一例を示す平面説明図。
【図３】図１のトンネル栽培装置を示す断面説明図。
【図４】図１のトンネル栽培装置が強風を受けた場合の様子を示す説明図。
【図５】本発明のマルチフィルムの実施形態の一例を示す平面説明図。
【図６】従来のトンネル栽培装置の実施形態の一例を示す斜視説明図。
【図７】従来のマルチフィルムの実施形態の一例を示す平面説明図。
【図８】図５のトンネル栽培装置を示す断面説明図。
【図９】図５のトンネル栽培装置が強風を受けた場合の様子を示す説明図。
【符号の説明】
【００３３】
１  土壌
２  平畝
３  植物（大根）
４  マルチフィルム
５  植栽孔
６  シート
７  枠
８  トンネル栽培用フィルム
１０  トンネル
１１  埋め代
１５  換気孔
【図１】
2006014633.tif 000005
【図２】
2006014633.tif 000006
【図３】
2006014633.tif 000007
【図４】
2006014633.tif 000008
【図５】
2006014633.tif 000009
【図６】
2006014633.tif 000010
【図７】
2006014633.tif 000011
【図８】
2006014633.tif 000012
【図９】
2006014633.tif 000013